(57)【要約】【課題】回転繰出式の複合筆記具において、筆記体の筆記先端部を軸筒の先端開口部より突出した状態に維持する際に、かつ全ての筆記体の筆記先端部を軸筒の先端開口部より没入した状態にする際に、回転操作体を回転し過ぎないようにする。【解決手段】筆記体４の筆記先端部３０が軸筒２の先端開口部３２より突出した際に、摺動ケース７の収容部２０の側壁３８ａの縁部３９に当接し、側壁３８の周面を乗越えて回転可能な第１当接部４０と、側壁３８ａの縁部４１に当接し、側壁３８の周面を乗越えて回転可能な第２当接部４２を回転カム筒１１の内壁面に設ける。全ての筆記体３、４の筆記先端部３０、３１が軸筒２の先端開口部３２に没入した際には、第１当接部４０は側壁３８ｂの縁部４３に当接し、第２当接部４２は側壁３８ａの縁部３９に当接するようにする。【選択図】図３
2011110706.tif 000002
【特許請求の範囲】
【請求項１】
軸筒内に、周方向に等間隔に周方向の溝幅を同等に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具において、前記１つの筆記体の筆記先端部を軸筒の先端開口部より突出してその状態を維持した際に、軸筒の先端開口部側に向って時計回りの回転カムの回転に対し一方の端部が摺動ケースの筆記体収容溝を構成する側壁の縁部に当接しかつ側壁の外周面を乗越えて回転可能な第１当接部と、回転カムの反時計回りの回転に対し一方の端部が摺動ケースの筆記体収容溝を構成する側壁の縁部に当接しかつ側壁の外周面を乗越えて回転可能な第２当接部を、全ての筆記体の筆記先端部を軸筒の先端開口部より没入した際には、第１当接部が回転カムの反時計回りの回転に対し他方の端部が摺動ケースの筆記体収容溝を構成する側壁の縁部に当接し、第２当接部が回転カムの時計回りに回転に対し他方の端部が摺動ケースの筆記体収容溝を構成する側壁の縁部に当接するように、少なくとも１つづつ回転カムの内壁面に設けたことを特徴とする、回転繰出式の複合筆記具。
【発明の詳細な説明】
【技術分野】
【０００１】
本発明は、回転操作体を回転することにより、軸軸内に収容した筆記体の筆記先端部を軸筒の先端開口部より出没可能とした回転繰出式の複合筆記具に関するものである。
【背景技術】
【０００２】
従来より、軸筒内に、周方向に等間隔に周方向の溝幅を同等に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具は、知られている。
【０００３】
こうした回転繰出式の複合筆記具の構造は、例えば、軸筒を前軸と回転操作体としての後軸とで構成し、後軸を前軸に対して回転して、筆記体の後端部に装着した摺動体のカム係止突起を回転カムのカム面に沿って移動して摺動体および筆記体を軸筒の先端開口部側に前進させ、回転カムの傾斜面の軸筒の先端開口部側の先端の頂部に形成した凹溝にカム係止突起を係止することで、筆記体の筆記先端部を軸筒の先端開口部より突出させてその状態を維持する構造としてある。
【０００４】
後軸は前軸に対して時計回りまたは反時計回りに回転可能としてあるが、後軸を前軸に対して回転して筆記体の筆記先端部を軸筒の先端開口部より突出させる際には、カム係止突起が回転カムの凹溝に係止するのでそのときの係止感により、後軸を前軸に対して回転し過ぎて、一旦カム係止突起が回転カムの凹溝に係止した状態から離脱させてしまうことのないようにすることができる。しかし、後軸を大きいトルクで回転させてしまうと、後軸を回転し過ぎて、一旦カム係止突起が回転カムの凹溝に係止した状態から離脱させてしまうことがままあった。また、筆記体の筆記先端部を軸筒の先端開口部より突出した状態から、全ての筆記体の筆記先端部を軸筒の先端開口部より没入した状態にするために後軸を前軸に対して回転した際に、回転しすぎて他の筆記体の筆記先端部を軸筒の先端開口部より突出させてしまうことは頻繁にある。
【０００５】
ところで、後者の問題を解消する技術として、全ての筆記体が軸筒内に位置したときに、筆記体の不用意な軸心方向への移動を規制するために、回転カムのカム面の所定位置に筆記部材（筆記体）の先端が筆記具本体（軸筒）内に収まる位置を規制する位置規制部を設け、この位置規制部は、軸方向に沿う方向に延びる起立部と、この起立部の後端側に連なるとともに、各従動部材（摺動体）の後端形状に倣う湾曲部とを備えたことを特徴とする技術が、特許第３７７００４４号公報により開示されている。確かに、前記位置規制部を設けることにより、筆記体の筆記先端部を軸筒の先端開口部より突出した状態から、全ての筆記体の筆記先端部を軸筒の先端開口部より没入した状態にする際は、各従動部材（摺動体）の突出部（カム係止突起）が回転カムのカム面に設けた位置規制部に係止するので係止感があり、前記したように回転操作体を回転して回転カムを回転し過ぎることはないが、所望する筆記体の筆記先端部を軸筒の先端開口部より突出する際に、位置規制部から従動部材（摺動体）の突出部（カム係止突起）を離脱させるために大きな回転トルクが必要となり、後軸を回転し過ぎて、一旦カム係止突起が回転カムの凹溝に係止した状態から離脱させてしまうおそれがある。
【先行技術文献】
【特許文献】
【０００６】
【特許文献１】特許第３７７００４４号公報
【発明の開示】
【発明が解決しようとする課題】
【０００７】
本発明の目的は、軸筒内に、周方向に等間隔に周方向の溝幅を同等に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具において、筆記体の筆記先端部を軸筒の先端開口部より突出した状態に維持する際に、回転操作体を回転し過ぎて、一旦カム係止突起が回転カムの凹溝に係合した状態から離脱させてしまうことが起き難いように、かつ筆記体の筆記先端部を軸筒の先端開口部より突出した状態から、全ての筆記体の筆記先端部を軸筒の先端開口部より没入した状態にする際に、回転操作体を回転し過ぎて、他の筆記体の筆記先端部が軸筒の先端開口部より突出し難いような構造とすることにある。
【課題を解決するための手段】
【０００８】
本発明は、
「１．軸筒内に、周方向に等間隔に周方向の溝幅を同等に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具において、前記１つの筆記体の筆記先端部を軸筒の先端開口部より突出してその状態を維持した際に、軸筒の先端開口部側に向って時計回りの回転カムの回転に対し一方の端部が摺動ケースの筆記体収容溝を構成する側壁の縁部に当接しかつ側壁の外周面を乗越えて回転可能な第１当接部と、回転カムの反時計回りの回転に対し一方の端部が摺動ケースの筆記体収容溝を構成する側壁の縁部に当接しかつ側壁の外周面を乗越えて回転可能な第２当接部を、全ての筆記体の筆記先端部を軸筒の先端開口部より没入した際には、第１当接部が回転カムの反時計回りの回転に対し他方の端部が摺動ケースの筆記体収容溝を構成する側壁の縁部に当接し、第２当接部が回転カムの時計回りに回転に対し他方の端部が摺動ケースの筆記体収容溝を構成する側壁の縁部に当接するように、少なくとも１つづつ回転カムの内壁面に設けたことを特徴とする、回転繰出式の複合筆記具。」
である。
【０００９】
回転繰出式の複合筆記具においては、摺動ケースに設けられる筆記体を収容する複数の筆記体収容溝は、周方向に等間隔に周方向の溝幅を同等に形成してあるのが一般的である。本発明においては、前記第１当接部および第２当接部は、回転カム筒が回転してどの筆記体の筆記先端部が軸筒の先端開口部より突出した際に、かつ全ての筆記体の筆記先端部が軸筒の先端開口部より没入した際に、摺動ケースの筆記体収容溝を構成する側壁の縁部に当接させる必要があるので、摺動ケースの筆記体収容溝は周方向に等間隔に周方向の溝幅を同等に形成して設けることが重要となる。
【００１０】
本発明における前記第１当接部および第２当接部は、摺動ケースの筆記体収容溝を構成する側壁の縁部に当接し、かつ側壁の外周面を乗越えて移動可能に設ける必要があり、回転カムの回転を阻止するような突出量であってはならない。第１当接部および第２当接部を設ける位置は、前記したような状態を満足するような回転カムの内壁面の位置に設ければ良く、特に特定した位置が有るわけではない。例えば、全ての筆記体の筆記先端部が軸筒の先端開口部より没入した時の、一つの筆記体収容溝の両側の側壁の縁部に当接するように設けても良いし、第１当接部を一方の筆記体記体収容溝に、第２当接部を他方の筆記体記体収容溝に設けても良い。また、数も、第１当接部と第２当接部を少なくとも１つずつ設ければ良く、摺動ケースに設けた筆記体収容溝の数と同数の数ずつ設けても良く、適宜決めて設ければ良い。
【００１１】
本発明において回転カムは、軸筒の内壁面に一体に形成して配設しても良いし、回転カム筒として軸筒と別体に形成して軸筒内に配設してもよい。適宜選択すれば良い。
【発明の効果】
【００１２】
本発明の回転繰出式の複合筆記具は前記したような構造なので、回転操作体を回転するのに必要なトルクが大きくなって回転が重くなり、筆記体の筆記先端部を軸筒の先端開口部より突出した状態に維持する際に、回転操作体を回転し過ぎることの予防効果があり、回転操作体を回転し過ぎて、一旦カム係止突起が回転カムの凹溝に係合した状態から離脱させてしまうことが起き難くなる。また、筆記体の筆記先端部を軸筒の先端開口部より突出した状態から、また同様に、全ての筆記体の筆記先端部を軸筒の先端開口部より没入した状態にする際にも、回転操作体を回転し過ぎることの予防効果があり、回転操作体を回転し過ぎて、他の筆記体の筆記先端部が軸筒の先端開口部より突出させてしまうことが起き難くなる。
【図面の簡単な説明】
【００１３】
【図１】本発明の回転繰出式の複合筆記具の実施例で、筆記体の筆記先端部が軸筒の先端開口部より突出した状態を示し、要部を断面した回転繰出式の複合筆記具の正面図である。
【図２】図１における摺動ケースと回転カム筒の部分の図で、筆記体を除いた状態を示した拡大縦断面である。
【図３】図２におけるＡ−Ａ線部分の端面の概略を示す拡大端面図で、（ａ）は、筆記体の筆記先端部が軸筒の先端開口部より突出した際の摺動ケースと回転カム筒の位置関係を示した図であり、（ｂ）は、全ての筆記体の筆記先端部が軸筒の先端開口部に没入した際の摺動ケースと回転カムの位置関係を示した図である。
【図４】図２における、摺動体のカム係止突起の回転カム筒のカム面における位置関係を示す、カム面を展開した拡大展開図である。
【図５】２本の筆記体を収容した場合の他の実施例を示し、図２におけるＡ−Ａ線部分の端面の概略を示す拡大端面図で、（ａ）は、筆記体の筆記先端部が軸筒の先端開口部より突出した際の摺動ケースと回転カムの位置関係を示した図であり、（ｂ）は、全ての筆記体の筆記先端部が軸筒の先端開口部に没入した際の摺動ケースと回転カムの位置関係を示した図である。
【発明を実施するための最良の形態】
【００１４】
本発明は、軸筒内に、周方向に等間隔に周方向の溝幅を同等に形成した筆記体を収容する複数の筆記体収容溝を有した摺動ケースと、該摺動ケースの外周上を回転可能に回転カムとを配設し、摺動ケースの筆記体収容溝に、カム係止突起を有した摺動体を装着した筆記体をばねにより軸筒の先端開口部と反対側の後方に付勢し、カム係止突起を筆記体収容溝から外方へ突出させて収容し、回転カムに形成した傾斜面を有したカム面に摺動体のカム係止突起を当接し、回転カムを回転させるための回転操作体を回転して回転カムを摺動ケースに対して回転することにより、カム係止突起がカム面に沿って移動することで摺動体および筆記体が前後動し、筆記体の筆記先端部を軸筒の先端開口部より出没してなる回転繰出式の複合筆記具における回転カムの内壁面に、摺動ケースの筆記体収容溝を構成する長手方向に延びた側壁の縁部に当接する第１当接部と第２当接部を設けた構造とする。
【実施例】
【００１５】
本発明の実施例を図面を用いて説明する。
本実施では、便宜上、シャープペンシルユニットの筆記体とボールペンレフィルの筆記体を軸筒内に収容した回転繰出式の複合筆記具として説明するが、これに限定されるものではない。軸筒内に、１本のシャープペンシルユニットの筆記体と複数本のボールペンレフィルの筆記体を収容した複合筆記具であってもよいし、複数本のシャープペンシルユニットの筆記体をあるいはボールペンレフィルの筆記体を収容した複合筆記具であってもよい。
【００１６】
図１〜図４に示す、本発明の実施例の回転繰出式の複合筆記具１は、軸筒２内にシャープペンシルユニットの筆記体３の１本とボールペンレフィルの筆記体４の２本を収容した構造のものである。本実施例の回転繰出式の複合筆記具１は、従来の回転繰出式の複合筆記具と同様に、軸筒２は前軸２ａと回転操作体としての後軸２ｂと、前軸２ａの前端（図１において左側）に螺着しかつ接着して設けた先窄み状の口金部５とで構成されている。前軸２ａと後軸２ｂとは着脱自在に連接して設けてある。
【００１７】
後軸２ｂの内部には、従来の回転繰出式の複合筆記具と同様に、周方向において１２０°間隔ごとに３つの筆記体収容溝６ａ、６ｂ、６ｃ（図３を参照）を有した摺動ケース７と、軸心方向に延びた傾斜面８と平坦面９とで構成されたカム面１０（図２および図４を参照）を有する回転カム筒１１を、摺動ケース７の外周上を回転可能にして配設してある。
【００１８】
また従来の回転繰出式の複合筆記具と同様に、後軸２ｂの後端には、クリップ１２と金輪１３を介在して消しゴム受け台１４が回転カム筒１１と螺着しかつ接着して配してあり、後軸２ｂの内壁面に設けた係止凸部１５を回転カム筒１１に形成した軸心方向に延びた係止溝１６に係止して、回転カム筒１１が後軸２ｂとともに連動して回転可能に設けてある。回転カム筒１１の後端は後軸２ｂの後端部に当接しており、後軸２ｂの後端部から抜け出さないようにしてある。消しゴム受け台１４には消しゴム１７が挿着してあり、後軸２ｂの後端には頭冠１８を消しゴム受け台１４に着脱自在に螺着して配してある。
【００１９】
前記摺動ケース７は、円筒状の前方筒部１９と、周方向において１２０°間隔ごとに周方向の幅寸法が同一の３つの筆記体収容溝６ａ、６ｂ、６ｃを有する収容部２０と、該収容部２０の外径より小径な係止部２１とで構成され、該係止部２１には、外方に突出した係止突部２２を設けてある。回転カム筒１１の内壁面には、周方向において１２０°間隔に設けた３つの、内方に突出し軸心方向に延びた突条部２３ａと該突条部２３ａの先端に形成した前記係止突部２２に係止可能な係止爪部２３ｂとで構成された被係止突部２４を設けてあり、前記係止突部２２を被係止突部２４の係止爪部２３ｂに係止して、摺動ケース７を回転カム筒１１内に挿着してある。係止部２１は、係止突部２２と収容部２０の後端との間を前記被係止突部２４の係止爪部２３ｂが回転可能に嵌合凹部２５としてある。摺動ケース７の前端部には外周面にリング状の突部２６を有した連結管２７が固着してあり、前軸２ａを、該前軸２ａの後端を前記突部２６に当接して前記連結管２７に圧入状態で嵌着して、前軸２ａを後軸２ｂに対して着脱自在に連接してある。後軸２ｂの先端には、装飾用金輪２８を螺着しかつ接着して設けてあり、連結管２７に圧入状態で嵌着した前軸２ａの後端部分を被覆してある。
【００２０】
回転カム筒１１の被係止突部２４に対向した内壁面には、摺動ケース７の収容部２０の後端に当接することで回転カム筒１１の前進を妨げる、内方に突出した１つのストッパー用突起２９を設けてある。各筆記体３、４の筆記先端部３０、３１が軸筒２（口金部５）の先端開口部３２より突出した際のストッパー用突起２９が対向した摺動ケース７の収容部２０の後端には、前記嵌合凹部２５に開口したストッパー用突起溝３３を設けてあり、各筆記体３、４の筆記先端部３０、３１が軸筒２（口金部５）の先端開口部３２より突出した際には、回転カム筒１１および後軸２ｂが前軸２ａおよび摺動ケース７に対して、シャープペンシルユニットの筆記体３の筆記先端部３０から鉛芯（図示せず）を繰出すために必要な距離の分だけ前進可能としてある。
【００２１】
摺動ケース７の筆記体収容溝６ａ、６ｂにはボールペンレフィルの筆記体４（便宜上、図１においては１本のボールペンレフィルの筆記体４しか描いていない。）を、筆記体収容溝６ｃにはシャープペンシルユニットの筆記体３を、コイルスプリング３４を介在して後方（図１において右側方向）に付勢して収容してある。各々の筆記体３、４の後端部には摺動体３５を装着してあり、各々の摺動体３５にはカム係止突起３６を設けてある。各々のカム係止突起３６は、回転カム筒１１のカム面１０に後方への押圧状態で当接させてある。
【００２２】
例えば、図１に示すようにボールペンレフィルの筆記体４の筆記先端部３１を軸筒２（口金部５）の先端開口部３２より突出させるには、後軸２ｂを前軸２ａに対して回転すると、後軸２ｂに連動して回転カム筒１１も回転し、図４に示すように、回転カム筒１１のカム面１０に当接した各々の筆記体３、４の摺動体３５に設けたカム係止突起３６はカム面１０に沿って移動し、傾斜面８により各々の摺動体３５は前後動し、順次、各々の摺動体３５のカム係止突起３６の後端が、カム面１０の傾斜面８の先端に設けた凹溝３７に係止していくので、前記ボールペンレフィルの筆記体４の筆記先端部３１が先端開口部３２より突出した時に後軸２ｂの回転を止めれば、ボールペンレフィルの筆記体４の筆記先端部３１が先端開口部３２より突出した状態で維持される。
【００２３】
シャープペンシルユニットの筆記体３の筆記先端部３０を軸筒２（口金部５）の先端開口部３２より突出させて鉛芯（図示せず）を繰出すには、ストッパー用突起２９が摺動ケース７に設けたストッパー用突起溝３３に対向し、後軸２ｂは前軸２ａに対して前進可能となるので、後軸２ｂを押圧して前進させればよい。
【００２４】
従来の回転繰出式の複合筆記具との相違点は、図３に示すように、前記１つの筆記体、図１においてはボールペンレフィルの筆記体４の筆記先端部３１を軸筒２（口金部５）の先端開口部３２より突出してその状態を維持した際に、一方の端部が、摺動ケース７に設けた筆記体収容溝６ａの反対側に位置する筆記体収容溝６ｂと筆記体収容溝６ｃを区画する収容部２０の側壁３８ａの筆記体収容溝６ｃに面した縁部３９に当接した、側壁３８ａ、３８ｂ、３８ｃの外周面を乗越えて回転可能な第１当接部４０を、筆記体収容溝６ｃに対向した位置の回転カム筒１１の内壁面に設け、一方の端部が、筆記体収容溝６ａの反対側に位置する筆記体収容溝６ｂと筆記体収容溝６ｃを区画する収容部２０の側壁３８ａの筆記体収容溝６ｂに面した縁部４１に当接した、側壁３８ａ、３８ｂ、３８ｃの外周面を乗越えて回転可能な第２当接部４２を、筆記体収容溝６ｂに対向した位置の回転カム筒１１の内壁面に設けてある。後軸２ｂを前軸２ａに対して軸筒２（口金部５）の先端開口部３２に向って反時計回りに回転カムを６０°回転して、全ての筆記体３、４の筆記先端部３０、３１を先端開口部３２に没入した際には、例えば図３の（ｂ）に示すように、第１当接部４０の他方の端部は筆記体収容溝６ｃに面した側壁３８ｂの縁部４３に当接し、第２当接部４２の他方の端部は筆記体収容溝６ｃに面した前記側壁３８ａの縁部３９に当接するように、第１当接部４０と第２当接部４２の周方向における離間距離や、第１当接部４０および第２当接部４２の周方向における幅寸法にして設けてある。なお、図３においては、第１当接部４０および第２当接部４２が判るようにその突出量や大きさを誇張して描いてあり、実際は、摺動ケース７の収容部２０の側壁３８ａ、３８ｂ、３８ｃの外周面を乗越えて回転可能な突出量、大きさとしてある。
【００２５】
前記第１当接部４０と第２当接部４２により、筆記体３、４の筆記先端部３０、３１が軸筒２（口金部５）の先端開口部３２より突出した際に、かつ全ての筆記体３、４の筆記先端部３０、３１を先端開口部３２に没入した際に、前記第１当接部４０または第２当接部４２が、摺動ケース７の収容部２０に設けた筆記体収容溝６ａ、６ｂ、６ｃを構成する側壁３８ａ、３８ｂ、３８ｃの縁部に当接するので、ワンクッションあり、かつ回転操作体を回転するのに必要なトルクが大きくなって回転が重くなり、回転操作体を回転し過ぎないようになる。
【００２６】
図５は、軸筒内にシャープペンシルユニットの筆記体とボールペンレフィルの筆記体の２本を収容した場合の実施例を示すものである。回転繰出構造は従来と同様なので説明は省くが、従来の回転繰出式の複合筆記具との相違点は、前記の実施例の場合と同様に、１つの筆記体の筆記先端部を軸筒の先端開口部より突出してその状態を維持した際に、一方の端部が、摺動ケース７の収容部２０に設けた筆記体収容溝４４ａ、４４ｂの軸筒の先端開口部より突出した筆記体が収容された、例えば図５に示すように筆記体収容溝４４ａに対向した筆記体収容溝４４ｂに面した、筆記体収容溝４４ａと筆記体収容溝４４ｂを区画する側壁４５ａの筆記体収容溝４４ｂに面した縁部４６に当接し、側壁４５ａ、４５ｂの外周面を乗越えて回転可能な第１当接部４７を、筆記体収容溝４４ｂに対向した位置の回転カム筒１１の内壁面に設け、一方の端部が、筆記体収容溝４４ａと筆記体収容溝４４ｂを区画する側壁４５ｂの筆記体収容溝４４ｂに面した縁部４８に当接し、側壁４５ａ、４５ｂの外周面を乗越えて回転可能な第２当接部４９を、筆記体収容溝４４ｂに対向した位置の回転カム筒１１の内壁面に設けてある。後軸を前軸に対して軸筒の先端開口部に向って反時計回りに回転カムを９０°回転して、全ての筆記体の筆記先端部を軸筒の先端開口部より没入した際には、図５の（ｂ）に示すように、第１当接部４７の他方の端部は筆記体収容溝４４ｂに面した前記側壁４５ｂの縁部４８に当接し、第２当接部４９の他方の端部は筆記体収容溝４４ａに面した前記側壁４５ｂの縁部５０に当接するように、第１当接部４７と第２当接部４９の周方向における離間距離や、第１当接部４７および第２当接部４９の周方向における幅寸法にして設けてある。なお、図５においては、第１当接部４７および第２当接部４９が判るようにその突出量や大きさを誇張して描いてあるが、実際は、摺動ケース７の収容部２０の側壁４５ａ、４５ｂの外周面を乗越えて回転可能な突出量、大きさとしてある。なお、図５においては、第１当接部４７および第２当接部４９が判るようにその突出量や大きさを誇張して描いてあり、実際は、摺動ケース７の収容部２０の側壁４４ａ、４４ｂの外周面を乗越えて回転可能な突出量、大きさとしてある。
【産業上の利用可能性】
【００２７】
回転繰出式の複合筆記具において、回転操作体を回転するのに必要なトルクを大きくして回転を重くし、回転操作体を回転し過ぎないようにしたい場合に、適用することができる。
【符号の説明】
【００２８】
１  回転繰出式の複合筆記具
２  軸筒
３、４  筆記体
６  筆記体収容溝
７  摺動ケース
８  傾斜面
１０  カム面
１１  回転カム筒
３４  コイルスプリング
３５  摺動体
３６  カム係止突起
３８  側壁
３９  縁部
４０  第１当接部
４１  縁部
４２  第２当接部
４３  縁部
４４  筆記体収容溝
４５  側壁
４６  縁部
４７  第１当接部
４８  縁部
４９  第２当接部
５０  縁部
【図１】
2011110706.tif 000003
【図２】
2011110706.tif 000004
【図３】
2011110706.tif 000005
【図４】
2011110706.tif 000006
【図５】
2011110706.tif 000007